(57)【要約】【課題】コンテンツ利用の利便性を高める。【解決手段】コンテンツ（１２）の属性で該コンテンツの利用可能な機能を判断するステップ又は機能部（機能判断部１０）を備えればよい。斯かるステップ又は機能部による判断結果により、前記コンテンツの前記利用可能な機能を表す機能項目を、コンテンツの取得の際に表示される画面（表示画面１８）に表示する。コンテンツを取得する際のダウンロード表示画面に、コンテンツ属性から利用可能な機能を判断してその機能項目を表示し、その項目選択からその機能を実行させることができ、コンテンツ利用の利便性を高められる。【選択図】図１
2010271981.tif 000002
【特許請求の範囲】
【請求項１】
コンテンツの属性で該コンテンツの利用可能な機能を判断するステップと、
コンテンツの取得の際に表示される画面に、前記コンテンツの前記利用可能な機能を表す機能項目を表示するステップと、
を含むことを特徴とする、コンテンツ関連メニュー表示方法。
【請求項２】
前記コンテンツを取得する際に、前記コンテンツの属性で該コンテンツの利用可能な機能を判断するステップを含むことを特徴とする、請求項１記載のコンテンツ関連メニュー表示方法。
【請求項３】
コンピュータに実行させるコンテンツ関連メニュー表示プログラムであって、
コンテンツの属性で該コンテンツの利用可能な機能を判断する機能と、
コンテンツの取得の際に表示される画面に、前記コンテンツの前記利用可能な機能を表す機能項目を表示する機能と、
を含み、斯かる機能を前記コンピュータに実行させることを特徴とする、コンテンツ関連メニュー表示プログラム。
【請求項４】
コンテンツの属性で該コンテンツの利用可能な機能を判断する判断部と、
コンテンツの取得の際に画面を表示する表示部と、
前記コンテンツの前記利用可能な機能を表す機能項目を前記画面に表示させる表示制御部と、
を備えることを特徴とする、コンテンツ関連メニュー表示装置。
【請求項５】
通信機能を備える携帯端末装置であって、
コンテンツの属性で該コンテンツの利用可能な機能を判断する判断部と、
前記通信機能を用いてコンテンツを取得する際に画面を表示する表示部と、
前記コンテンツの前記利用可能な機能を表す機能項目を前記画面に表示させる表示制御部と、
を備えることを特徴とする携帯端末装置。
【発明の詳細な説明】
【技術分野】
【０００１】
本発明は、メロディ等のコンテンツの取得等に用いられるコンテンツ関連メニュー表示に関し、例えば、コンテンツサーバから提供を受けたメロディ等、提供されたコンテンツが利用可能な機能を表示するコンテンツ関連メニュー表示方法、そのプログラム、その装置及び携帯端末装置に関する。
【背景技術】
【０００２】
携帯電話機等の携帯端末装置は情報源から楽曲等のコンテンツをインターネットや回線網を通して提供を受け、取得することが可能である。取得したコンテンツは、画像であれば、例えば、携帯端末装置のいわゆる待受画面に利用し、また、メロディであれば、例えば、着信音に利用する等、コンテンツに応じた利用形態がある。
【０００３】
このようにコンテンツは、画像や音楽等のジャンル、取得はできるが再利用できるか否か、編集等が可能であるか否か等の利用形態に制限があるか否か等の属性を備えている。即ち、その属性によっては、他の機能に再利用可能又は不可能、他の携帯電話への複写が可能又は不可能なものが存在している。このため、コンテンツの利用には、その属性を認識し又は判断することが不可欠である。
【０００４】
コンテンツの利用に関し、ダウンロード可能なデータ及びその付帯情報データを含むデータ列を受信し、その受信データ列からダウンロード可能なデータとその付帯情報データを抽出し、その一覧表示をすることが知られている（特許文献１）。
【先行技術文献】
【特許文献】
【０００５】
【特許文献１】特開２００５−１３００８５号公報
【発明の概要】
【発明が解決しようとする課題】
【０００６】
ところで、コンテンツの属性は再利用等の利用性に関わり、ユーザは、複写等により取得したコンテンツの属性から利用性を判断することが必要である。コンテンツ利用機能の選択や指定コンテンツ選択のためには、携帯端末装置にサブメニューを用意して表示し、そのサブメニューから利用機能を選択する等、複雑な操作が必要である。このような複雑な操作を要すれば、コンテンツの再利用性が妨げられる。
【０００７】
そこで、本開示のコンテンツ関連メニュー表示方法、そのプログラム、その装置又は携帯端末装置の目的は、上記課題に鑑み、コンテンツ利用の利便性を高めることにある。
【課題を解決するための手段】
【０００８】
上記課題を解決するため、本開示のコンテンツ関連メニュー表示方法、そのプログラム、その装置又は携帯端末装置は、コンテンツの属性で該コンテンツの利用可能な機能を判断するステップ又は機能部を備える。斯かるステップ又は機能部による判断結果により、前記コンテンツの前記利用可能な機能を表す機能項目が、コンテンツの取得の際に表示される画面に表示される。これにより、コンテンツ利用の利便性を高める。
【発明の効果】
【０００９】
本開示のコンテンツ関連メニュー表示方法、そのプログラム、その装置又は携帯端末装置によれば、コンテンツの属性で利用可能な機能を画面に表示し、その機能を選択することができ、コンテンツ利用の利便性が高められる。
【００１０】
そして、本発明の他の目的、特徴及び利点は、添付図面及び各実施の形態を参照することにより、一層明確になるであろう。
【図面の簡単な説明】
【００１１】
【図１】第１の実施の形態に係るコンテンツ関連メニュー表示の処理手順を示すフローチャートである。
【図２】コンテンツ関連メニュー表示装置を示す図である。
【図３】第２の実施の形態に係る、コンテンツダウンロード中の携帯端末装置を示す図である。
【図４】コンテンツ属性関連機能テーブルを示す図である。
【図５】携帯端末装置の機能部を示す図である。
【図６】携帯端末装置のハードウェア構成を示す図である。
【図７】メモリの構成を示す図である。
【図８】携帯端末装置の外観構成を示す図である。
【図９】コンテンツ関連メニュー表示、コンテンツ管理及びダウンロードの処理手順を示すフローチャートである。
【図１０】コンテンツの構成を示す図である。
【図１１】コンテンツの利用形態の比較例を示すフローチャートである。
【図１２】第３の実施の形態に係るコンテンツ関連メニュー表示の処理手順を示すフローチャートである。
【図１３】第３の実施の形態に係るコンテンツ関連メニュー表示装置を示す図である。
【図１４】他の実施の形態に係る携帯情報端末機を示す図である。
【図１５】他の実施の形態に係るパーソナルコンピュータを示す図である。
【発明を実施するための形態】
【００１２】
〔第１の実施の形態〕
【００１３】
第１の実施の形態は、取得中又は取得したコンテンツの属性を解析し、その属性関連機能のメニューを表示する。
【００１４】
この第１の実施の形態について、図１を参照する。図１は、コンテンツ関連メニュー表示処理の処理手順を示すフローチャートである。図１に示す処理手順は一例であって、斯かる処理手順に本発明が限定されるものではない。
【００１５】
この実施の形態のコンテンツ関連メニュー表示処理の処理手順は、携帯端末装置等、コンピュータを搭載した電子機器によって実行されるコンテンツ関連メニュー表示方法又はそのプログラムの一例である。この処理手順では、図１に示すように、コンテンツの属性を解析し、該コンテンツの利用可能な機能を判断する（ステップＳ１１）。コンテンツは例えば、楽曲、画像、文書、データ等であって、提供可能な情報であれば、どのようなものでもよい。コンテンツが持つ属性は、例えば、その種別、再利用性、改変可能性、用途性等であって、ユーザからみれば、その利用についての制限又は制限形態等である。
【００１６】
このステップＳ１１において、コンテンツの取得の際に画面を表示し、該画面にコンテンツの利用可能な機能を表す機能項目を表示する（ステップＳ１２）。コンテンツの利用可能な機能項目は、例えば、メロディ再生、電話着信音設定、メール着信音設定、メール作成等の項目である。これらの機能項目について、コンテンツの取得画面即ち、ダウンロードの表示画面にメインメニューと関連付けて利用可能な機能を表す機能項目を表示すればよい。
【００１７】
この処理手順において、コンテンツの属性で該コンテンツの利用可能な機能は、コンテンツの取得の際に判断してもよいし、コンテンツの取得中に判断してもよいし、また、取得後に判断してもよい。
【００１８】
斯かる処理手順によれば、コンテンツの複写、コンテンツ管理機能の選択、指定コンテンツの選択、サブメニューの表示という複雑な段階的な操作を不要にし、コンテンツの利用性を阻害するという課題を解決することができる。
【００１９】
次に、コンテンツ関連メニュー表示装置について、図２を参照する。図２は、コンテンツ関連メニュー表示装置を示す図である。図２に示す構成は一例であって、斯かる構成に本発明が限定されるものではない。
【００２０】
このコンテンツ関連メニュー表示装置２は既述の処理手順を実現する構成の一例であって、既述の処理手順を実現するには、図２に示すように、コンテンツ関連メニュー表示部４と、表示制御部６と、表示部８とを備えればよい。
【００２１】
このコンテンツ関連メニュー表示部４は、既述の処理手順として、ステップＳ１１、Ｓ１２（図１）の処理を実行する手段であって、コンテンツ属性に対応する利用可能な機能を判断するための手段として機能判断部１０を備える。
【００２２】
そこで、機能判断部１０は、コンテンツ１２の属性を解析し、その属性からコンテンツ１２の利用可能な機能を判断する手段の一例であって、コンテンツ属性の解析結果に基づき、その属性によって制限されない利用可能な機能の全て又はその一部を抽出する機能部である。コンテンツ１２が例えば、メロディであれば、属性として編集可能であるか否か、呼出し音に利用可能であるか否か、メールに用いることができるか否か等の利用可能性を判断し、その利用可能な機能項目を抽出する。この利用項目は表示部８に表示する表示画面のメインメニューに関連付けて表示すればよい。
【００２３】
そこで、この機能判断部１０は、コンテンツ解析部１４と、属性関連機能判断部１６とを備える。コンテンツ解析部１４は、取得中又は取得したコンテンツ１２の属性を解析し、その解析結果を属性関連機能判断部１６に提供する。属性関連機能判断部１６は、その解析結果からコンテンツ属性に関連する利用可能な機能を判断し、その判断結果として機能項目を表す情報を表示制御部６に提供する。
【００２４】
表示制御部６は、表示部８の表示機能を制御する手段であって、属性関連機能判断部１６から提供された利用可能な機能を表す機能項目を出力する手段の一例であって、その機能項目を表示情報として表示部８に提供する。
【００２５】
表示部８は、コンテンツ１２の取得の際に表示画面１８を表示する手段の一例であって、表示画面１８は例えば、メインメニューとしてコンテンツ１２のダウンロード画面である。この表示画面１８に例えば、ダウンロード中を表示しているメインメニューに関連付けられた利用可能な機能として機能項目が表示される。
【００２６】
斯かる構成によれば、コンテンツの複写、コンテンツ管理機能の選択、指定コンテンツの選択、サブメニューの表示という複雑な操作は不要であり、利用者の操作性の向上とともに、コンテンツの再利用性が高められる。
【００２７】
〔第２の実施の形態〕
【００２８】
第２の実施の形態は、第１の実施の形態の具体化であって、コンテンツのダウンロード中の表示画面にコンテンツの属性判断に基づく機能選択メニューをメインメニューに関連付けて表示し、該機能選択メニューから必要な機能の選択を可能にしている。
【００２９】
この第２の実施の形態について、図３及び図４を参照する。図３は、コンテンツダウンロード中の携帯端末装置を示す図、図４は、コンテンツ属性関連機能テーブルを示す図である。図３及び図４に示す構成は一例であって、斯かる構成に本発明が限定されるものではない。図３において、図２と同一部分には同一符号を付してある。
【００３０】
この携帯端末装置２０は、コンピュータが搭載された電子機器であって、本開示のコンテンツ関連メニュー表示方法又はそのプログラムを実行する装置又は携帯端末装置の一例である。この携帯端末装置２０は既述の通り、コンテンツ１２のダウンロード中の表示画面１８にコンテンツ１２の属性判断に基づく機能選択メニューを表示し、機能選択メニューから必要な機能の選択を可能にしている。
【００３１】
この携帯端末装置２０は、図３に示すように、公衆回線網の基地局２２に無線により接続され、この基地局２２にはネットワーク２４を介してコンテンツサーバ２６が接続されている。ネットワーク２４は例えば、インターネットである。コンテンツサーバ２６は、携帯端末装置２０等にコンテンツ１２を提供する情報源の一例である。提供されるコンテンツ１２は例えば、楽曲、画像、文書、データ等、提供可能な情報であればどのようなものでもよい。コンテンツ１２が持つ属性とは、その種別、再利用性、改変可能性、用途性等であり、ユーザからみれば、その利用についての制限又は制限形態等である。
【００３２】
コンテンツサーバ２６は、コンテンツ１２を提供するコンテンツ源、コンテンツ等の情報を提供する情報源の一例であり、コンテンツ１２を提供する手段であればどのようなものでもよい。このコンテンツサーバ２６は、インターネット上に設置されていてもよいし、携帯端末装置２０と公衆回線網等の電話網上に設置されていてもよい。
【００３３】
この実施の形態のコンテンツサーバ２６では、携帯端末装置２０からコンテンツ１２の一例として「メロディ２」が選択され、この「メロディ２」が携帯端末装置２０にダウンロード中の状態である。この「メロディ２」の属性は、「編集不可」、「端末音可」及び「メール可」である。ここで、「編集不可」は、メロディの編集をすることができないこと（メロディ再生は可能）を表し、「端末音可」は、携帯端末装置２０の着信音の利用が可能であることを表し、「メール可」は、メール使用ができることを表している。
【００３４】
携帯端末装置２０は、本開示のコンテンツ関連メニュー表示装置の一例であって、コンテンツサーバ２６からコンテンツ１２の提供を受ける機能や、コンテンツ関連メニュー表示が可能な機能を備える。その一例として、通信機能や表示機能を備え、表示機能の一例として表示部８には表示画面１８が備えられている。
【００３５】
この表示画面１８には、メニュー及び機能の描画部の一例として、メインメニュー表示部３０と、機能表示部３２とが設定されている。メインメニュー表示部３０には、「メインメニュー」を起動していること、「コンテンツダウンロード」が表示され、「コンテンツダウンロード」は、コンテンツのダウンロードモードであることを表示している。
【００３６】
ダウンロード対象の一例として「メロディ２」が明示され、ダウンロード対象のコンテンツ１２が「メロディ２」であることを表すメッセージ２９が表示され、その下部には、ダウンロード中の進捗状況を表す進捗表示３１が明示されている。
【００３７】
機能表示部３２には、コンテンツ属性の判断に基づく機能表示として、次に操作可能な機能がメインメニュー表示と関連付けて表示されている。この場合、「メロディ２」の属性が既述の通り、「編集不可」、「端末音可」及び「メール可」であることから、第１の機能表示３２１として「電話着信音設定」、第２の機能表示３２２として「メール着信音設定」、第３の機能表示３２３として「メール作成」が表示されている。これらの機能表示３２１、３２２、３２３は、機能選択入力手段であって、カーソルやユーザのタッチによってその機能を選択することが可能である。
【００３８】
そして、携帯端末装置２０には、コンテンツ属性関連機能テーブル３４（図４）を備える。このコンテンツ属性関連機能テーブル３４は、コンテンツ１２の属性判断に基づく再利用可能機能を記憶する手段である。このコンテンツ属性関連機能テーブル３４は携帯端末装置２０に内蔵された記憶手段に設定され、図４に示すように、コンテンツ種別部３６、コンテンツ属性部３８及び再利用可能機能部４０を備える。
【００３９】
コンテンツ種別部３６にはメロディ等のコンテンツ名を表す識別情報が格納される。この場合、「メロディ２」は、携帯端末装置２０が取得しているコンテンツ１２がメロディ情報であることを表す。
【００４０】
コンテンツ属性部３８には、コンテンツ属性を表す情報が格納され、コンテンツ１２の属性として例えば、編集不可、端末音可及びメール可等を表す属性情報が格納される。この場合、「編集不可」は、メロディの編集はできないが、メロディ再生は可能であることを表し、「端末音可」は、電話着信音設定及びメール着信音の設定が可能であることを表し、また、「メール可」は、メール作成に用いることができること等を示している。
【００４１】
再利用可能機能部４０には、コンテンツ１２の再利用可能機能を表す情報が格納され、この場合、コンテンツの「編集不可」の属性に対して「メロディ再生」、「端末音可」の属性に対して「電話着信音設定」及び「メール着信音設定」、「メール可」の属性に対して「メール作成」の機能項目が格納されている。この場合、「メロディ再生」はメロディの再生が可能であること、「電話着信音設定」は、電話着信音の設定が可能であること、「メール着信音設定」は、メール着信の際の着信音に設定可能であること、「メール作成」は、メールに添付して相手先に送信し、その提供が可能であることを表している。
【００４２】
次に、携帯端末装置２０の機能部について、図５を参照する。図５は、携帯端末装置の機能部を示す図である。図５に示す構成は一例であって、斯かる構成に本発明が限定されるものではない。図５において、図２、図３と同一部分には同一符号を付してある。
【００４３】
携帯端末装置２０は、コンテンツ関連メニュー表示方法、そのプログラム、その装置又は携帯端末装置の一例である。この携帯端末装置２０は、コンテンツのダウンロード中の表示画面にコンテンツの属性判断に基づく機能選択メニューを表示する機能を備えている。
【００４４】
そこで、この携帯端末装置２０は、図５に示すように、コンテンツ関連メニュー表示部４と、無線制御部４２と、呼制御部４４と、コンテンツ管理部４８と、ダウンロード部５０と、画面表示制御部５２と、タッチパネル制御部５４とを備えればよい。
【００４５】
コンテンツ関連メニュー表示部４は既述の通り、コンテンツ１２の属性を解析し、その属性に応じた利用可能な機能項目を表示するための表示情報を出力する手段の一例である。無線制御部４２は図示しない無線部の制御手段であって、基地局２２との接続のための無線信号の送受の制御を行う手段の一例である。呼制御部４４は、基地局２２を介した電話接続の制御を行う手段の一例であって、コンテンツ１２は無線制御部４２、呼制御部４４の接続制御に基づいてダウンロードが行われる。
【００４６】
コンテンツ管理部４８は、既述のコンテンツ属性関連機能テーブル３４（図４）を備え、取得中又は取得したコンテンツ１２の保存や管理を行う手段の一例である。ダウンロード部５０は、コンテンツ１２のダウンロードを実行する手段の一例である。画面表示制御部５２は、表示部８の表示画面１８（図３）の表示制御を行い、コンテンツダウンロード画面や機能項目の表示を行う。タッチパネル制御部５４は、表示画面１８の前面に設置されるタッチパネルを入力手段とし、その入力手段へのタッチ入力を検出し、タッチ位置に基づく入力情報を取り込む。
【００４７】
次に、携帯端末装置２０のハードウェア構成について、図６、図７及び図８を参照する。図６は、携帯端末装置のハードウェア構成を示す図、図７は、メモリの構成を示す図、図８は、携帯端末装置の外観構成を示す図である。図６、図７及び図８に示す構成は一例であって、斯かる構成に本発明が限定されるものではない。図６において、図５と同一部分には同一符号を付してある。
【００４８】
携帯端末装置２０には上記機能部（図５）を実現する手段として、図６に示すように、無線部５６と、無線制御部５８と、ＣＰＵ（Central Processing Unit ）６０と、メモリ６２と、表示部８と、タッチパネル部６４と、キー入力部６６とを備える。
【００４９】
無線部５６は、アンテナ６８を備え、ＣＰＵ６０の制御により基地局２２（図３）との無線信号の送受を行う通信部の一例であって、送受信部、変調部、復調部等を備える。
【００５０】
無線制御部５８は、既述の無線制御部４２（図５）に対応するハードウェアであって、ＣＰＵ６０の制御により無線部５６に無線信号の送受を行わせる制御手段の一例である。
【００５１】
ＣＰＵ６０は、メモリ６２に格納されているプログラムの実行手段であって、各機能部の制御手段、コンテンツ関連メニュー表示制御を含む表示制御を行う表示制御手段、キー入力制御手段、タッチパネル入力制御手段等の各種の制御手段の一例である。
【００５２】
メモリ６２は、プログラム記憶手段、情報記憶手段の一例であって、図７に示すように、プログラム記憶部７０と、データ記憶部７２と、ＲＡＭ（Random-Access Memory）７４とを備える。プログラム記憶部７０は、ＯＳ（Operating System）や、コンテンツ関連メニュー表示プログラム等のアプリケーションプログラムを格納する記憶手段の一例である。データ記憶部７２は、データの記憶手段の一例であって、このデータ記憶部７２には、既述のコンテンツ属性関連機能テーブル３４（図４）が設定されて既述のデータが格納され、ダウンロードしたコンテンツ等の格納に用いられる。また、このデータ記憶部７２にはコンテンツ記録部７５が設定され、このコンテンツ記録部７５はコンテンツ及びコンテンツ属性の記憶手段であって、ダウンロードしたコンテンツ属性及びコンテンツが格納され、保存される。ＲＡＭ７４はワークエリア等に用いられる。
【００５３】
表示部８は、既述の通りの機能部であって、この表示部８の表示画面１８上にはタッチパネル部６４が備えられる。このタッチパネル部６４は情報入力手段の一例であって、表示画面１８に表示されたアイコンや機能項目を表す機能表示３２１、３２２、３２３の上部をタッチすることにより、その機能項目が選択され、その機能に移行させることができる。
【００５４】
キー入力部６６は情報入力手段の一例であって、キー部の押下により文字やカーソル等の情報入力を行うことができる。
【００５５】
そして、携帯端末装置２０は図８に示すように、第１の筐体部７６と、第２の筐体部７８とをヒンジ機構部８０で連結し、筐体部７８が破線で示す位置から例えば、右側に回転させて表示部８の表示画面１８を横長に設定可能である。筐体部７６にはキー入力部６６と、マイクロフォン８２とが設定され、キー入力部６６には文字キー８４、カーソルキー８６、決定キー８８等が備えられる。また、筐体部７８には表示部８と、レシーバ９０とが備えられている。既述のアンテナ６８の他、各種の機能部は筐体部７６に内蔵される。
【００５６】
次に、コンテンツ関連メニュー表示、コンテンツ管理及びダウンロードの処理手順について、図９を参照する。図９は、コンテンツ関連メニュー表示、コンテンツ管理及びダウンロードの処理手順を示すフローチャートである。
【００５７】
この処理手順には、コンテンツ関連メニュー表示部４、コンテンツ管理部４８及びダウンロード部５０の各処理手順が含まれる。
【００５８】
そこで、コンテンツ関連メニュー表示部４の処理手順では、コンテンツ１２のダウンロードか否かを監視し（ステップＳ２１）、コンテンツのダウンロードでなければ（ステップＳ２１のＮＯ：未開始）、待機状態を維持する。即ち、コンテンツのダウンロードに同期してコンテンツの管理、コンテンツの属性に基づく利用可能な機能を判断する。
【００５９】
そこで、コンテンツのダウンロードであれば（ステップＳ２１のＹＥＳ：開始）、属性通知型のダウンロード依頼を発し、コンテンツ管理部４８に通知する（ステップＳ２２）。
【００６０】
コンテンツ管理部４８からコンテンツの属性通知（ステップＳ２９）を受けると、コンテンツ属性と、コンテンツ属性関連機能テーブル３４とを使い、コンテンツ属性関連機能テーブル３４から利用可能な機能として再利用可能機能を取得する（ステップＳ２３）。即ち、コンテンツ属性に対応する利用可能な１又は複数の機能が確定する。この場合、利用可能な機能がなければ、この処理を終了することになる。
【００６１】
この再利用可能機能の取得に基づき、コンテンツダウンロード中の表示画面に再利用可能機能用のメニューを描画する（ステップＳ２４）。コンテンツ管理部４８からのコンテンツダウンロード終了の通知（ステップＳ３０）を受け、その表示の後、ユーザは、利用可能な機能（メニュー）の項目選択が可能である。ダウンロードが完了したか否かは、表示画面１８のメインメニュー表示部３０に展開される進捗表示３１（図３）から知ることができる。
【００６２】
表示画面１８のメニュー表示に対し、メニュー選択がされたか否かを判定し（ステップＳ２５）、メニュー選択がなければ（ステップＳ２５のＮＯ）、メニューの描画状態を維持する。メニュー選択が行われれば（ステップＳ２５のＹＥＳ）、選択メニューの機能を実行し（ステップＳ２６）、この処理を終了する。コンテンツがダウンロード中であれば、選択メニューの機能の実行はダウンロード完了後に移行すればよい。
【００６３】
また、コンテンツ管理部４８の処理手順では、コンテンツ関連メニュー表示部４からの属性通知型ダウンロード依頼を受け（ステップＳ２２）、ダウンロード開始依頼を発し、ダウンロード部５０に通知する（ステップＳ２７）。
【００６４】
ダウンロード部５０からコンテンツ属性通知を受け（ステップＳ３２）、コンテンツ１２の属性解析としてコンテンツ属性分析を行う（ステップＳ２８）。その属性分析の結果としてコンテンツ属性通知を発し、コンテンツ関連メニュー表示部４に通知する（ステップＳ２９）。
【００６５】
ダウンロード部５０からのコンテンツダウンロード終了通知（ステップＳ３４）を受け、コンテンツダウンロード終了の通知を発し、コンテンツ関連メニュー表示部４に通知し（ステップＳ３０）、コンテンツ管理部４８の処理を終了する。
【００６６】
また、ダウンロード部５０の処理手順では、コンテンツ管理部４８からダウンロード開始依頼（ステップＳ２７）を受け、コンテンツ属性ダウンロードを行う（ステップＳ３１）。ダウンロードによって取得したコンテンツ属性通知を発し、コンテンツ管理部４８に通知する（ステップＳ３２）。このコンテンツ属性通知の後、コンテンツダウンロードを行う（ステップＳ３３）。ダウンロードしたコンテンツ属性及びコンテンツはコンテンツ記録部７５に記録される。
【００６７】
コンテンツのダウンロードが終了すると、コンテンツダウンロード終了通知を発し、コンテンツ管理部４８に通知し（ステップＳ３４）、ダウンロード部５０の処理を終了する。
【００６８】
次に、コンテンツ及びコンテンツ属性について、図１０を参照する。図１０は、コンテンツを示す図である。図１０において、図２と同一部分には同一符号を付してある。
【００６９】
このコンテンツ１２はメロディや画像等であって、コンテンツデータ１２２にファイル名１２４や拡張子１２６等が含まれる。  コンテンツデータ１２２は、既述のメロディや画像を表すデータである。ファイル名１２４はファイルの種類を表す文字列であり、拡張子１２６はファイル形式等のデータである。コンテンツ属性は、コンテンツデータ１２２に付されたファイル名１２４や拡張子１２６等に含まれる情報によって判断すればよい。
【００７０】
以上述べた上記実施の形態について、特徴事項を列挙すれば、次の通りである。
【００７１】
(1) 携帯電話機等の携帯端末装置２０に、コンテンツ関連メニュー表示機能と、コンテンツ属性関連機能テーブルを追加すればよい。
【００７２】
(2) メインメニューを使って、コンテンツサーバからコンテンツ（例えば、メロディ２）のダウンロードを開始すると、コンテンツ関連メニュー表示機能は、コンテンツに付与して送られてくるコンテンツ属性を解析する。コンテンツ関連メニュー表示機能は、ダウンロード中のコンテンツ属性とコンテンツ属性関連機能テーブルを使って、メインメニューに付加する形で、ダウンロード中のコンテンツが利用可能な機能のメニューを表示する。
【００７３】
(3) コンテンツの複写（例えば、インターネットからのダウンロード）画面をメイン画面とし、同じ画面上に、現在複写しているコンテンツが利用可能な機能だけをメインメニューに自動付加し、表示する。この結果、ワンタッチでダウンロードしたコンテンツの再利用が可能である。
【００７４】
(4) コンテンツの再利用がワンタッチで行えるので、コンテンツ利用の利便性が高められる。例えば、メロディ２の再利用では、表示画面１８に表示されている機能表示３２１、３２２、３２３である、「電話着信音設定」、「メール着信音設定」、「メール作成」の何れかをカーソルにより選択して確定させ（即ち、ワンタッチ操作）、機能制御部を構成するＣＰＵ６０の制御動作により、メロディ２を電話着信音設定、メール着信音設定、メール作成等に利用することができる。
【００７５】
〔比較例〕
【００７６】
上記実施の形態の比較例について、図１１を参照する。図１１は、コンテンツの利用形態の比較例を示すフローチャートである。
【００７７】
既述のコンテンツ関連メニュー表示部４を備えていない携帯端末装置１００について、コンテンツ（例えば、メロディ）をその外部から（例えば、インターネット）複写した後に、そのコンテンツの利用（例えば、着信メロディ設定）を想定する。この場合、コンテンツの属性によって、他の機能に再利用可能／不可能なものや、他の携帯端末装置への複写が可能／不可能なものが存在する。そこで、コンテンツ管理をするため、コンテンツを指定した後に、サブメニューを表示させ（ステップＳ４１）、利用可能な機能を選択し（ステップＳ４２）、コンテンツの再利用が可能となる（ステップＳ４３）。
【００７８】
このように、コンテンツ関連メニュー表示部４の機能がなければ、コンテンツ複写、コンテンツ管理機能の選択、指定コンテンツの選択、サブメニューの表示という複雑な操作が必要となる。このため、コンテンツ利用の利便性が低いという課題があった。
【００７９】
これに対し、第１の実施の形態や第２の実施の形態では、コンテンツの複写（例えば、インターネットからのダウンロード）画面をメイン画面とし、同じ画面上に、現在複写しているコンテンツが利用可能な機能だけをメインメニューに自動付加して表示する。この結果、ワンタッチでダウンロードしたコンテンツの再利用が可能である。
【００８０】
〔第３の実施の形態〕
【００８１】
第３の実施の形態は、ダウンロードコンテンツのダウンロード中の表示画面に属性判断に基づく機能選択メニューを表示し、機能選択メニューから必要な機能の選択を可能にしている。
【００８２】
この第３の実施の形態について、図１２を参照する。図１２は、コンテンツ関連メニュー表示処理の処理手順を示すフローチャートである。図１２に示す処理手順は一例であって、斯かる処理手順に本発明が限定されるものではない。
【００８３】
この処理手順は、本開示のコンテンツ関連メニュー表示方法又はそのプログラムの一例であって、例えば、コンピュータによって実行される。そこで、この処理手順では、コンテンツのダウンロードに際し、ダウンロードコンテンツの属性情報を取得し（ステップＳ５１）、ダウンロード中のコンテンツ属性情報をチェックする（ステップＳ５２）。即ち、属性情報のチェックでは、属性情報を解析し、再利用可能か否かの判断を行う。このコンテンツ属性の解析に基づく利用可能な機能の判断にはコンテンツ属性関連機能テーブル３４（図４、図１３）を用いればよい。
【００８４】
この属性情報に基づき、設定可能なコンテンツか否かを判断し（ステップＳ５３）、設定可能であれば（ステップＳ５３のＹＥＳ）、コンテンツ属性から操作可能な情報を取得する（ステップＳ５４）。この操作可能な情報取得は、利用可能な機能項目の取得であり、これは、コンテンツに含まれていてもよく、また、コンテンツとは別個にコンテンツ属性を契機として他の情報手段から取得してもよい。
【００８５】
操作可能な情報を得た場合には、その操作可能なメニューを表示部６の表示画面１８に描画し（ステップＳ５５）、この処理を終了し又は該コンテンツのダウンロードを続行する（ステップＳ５６）。
【００８６】
また、ステップＳ５３において、コンテンツが設定可能でなければ（ステップＳ５３のＮＯ）、チェック処理を終了し又は該コンテンツのダウンロードを続行する（ステップＳ５７）。再利用ができない場合でも、取得したユーザがそのコンテンツを限られた範囲で利用できれば、そのコンテンツのダウンロードは有効とすればよい。
【００８７】
斯かる処理手順によっても、既述の実施の形態と同様にコンテンツ利用の利便性を高めることができる。
【００８８】
次に、既述の処理手順を実行するコンテンツ関連メニュー表示装置について、図１３を参照する。図１３は、コンテンツ関連メニュー表示装置を示す図である。図１３に示す構成は一例であって、斯かる構成に本発明が限定されるものではない。
【００８９】
このコンテンツ関連メニュー表示装置２００はコンピュータを搭載した電子機器の一例であって、コンテンツ関連メニュー表示部４００と、コンテンツ管理機能部４０２とを備える。コンテンツ関連メニュー表示部４００は、既述の通り、コンテンツ属性を解析し、利用可能な機能を表示する手段である。また、コンテンツ管理機能部４０２は、既述のコンテンツ管理部４８と同様に、コンテンツやコンテンツ属性を格納し、その管理を行う手段の一例である。
【００９０】
コンテンツ関連メニュー表示部４００は上記機能を実現する手段として、ダウンロード処理部４０４と、コンテンツ属性解析部４０６と、メニュー描画部４０８と、ダウンロードコンテンツ設定部４１０とを備える。
【００９１】
ダウンロード処理部４０４は、ダウンロードするコンテンツを選択し、そのコンテンツのダウンロードの実行手段の一例であり、取得したコンテンツをコンテンツ管理機能部４０２に格納し、保存する。このダウンロードの際に取得した属性情報は、コンテンツ属性解析部４０６に提供される。
【００９２】
コンテンツ属性解析部４０６では、コンテンツ属性を解析し、解析によって得られたコンテンツ属性と、コンテンツ属性関連機能テーブル３４とを用いてコンテンツ属性関連機能テーブル３４から属性関連情報を取得し、使用可能なメニュー描画情報をメニュー描画部４０８に提供する。属性関連情報は既述の通り、コンテンツ属性に対応する利用可能な機能を表す項目である。
【００９３】
メニュー描画部４０８は、既述の表示部８（図２、図３、図６、図８）であって、ダウンロードの表示画面１８のダウンロード中のコンテンツに関係付けて使用可能なメニューを描画によって表示する。このメニューは、その表示部８の表示画面１８から選択することができ、その対象設定起動情報がダウンロードコンテンツ設定部４１０に提供される。
【００９４】
ダウンロードコンテンツ設定部４１０では、選択されたメニューに基づく機能を実現するため、コンテンツ利用がコンテンツ管理機能部４０２に指定され、指定されたコンテンツが利用可能な機能に基づき再利用に供される。
【００９５】
このように、ダウンロード中のコンテンツの属性に基づいて利用可能な機能が選択可能に表示され、その選択に基づいてコンテンツが再利用に供される。ダウンロード中のワンタッチ選択により、利用可能な機能でコンテンツ利用が図られ、コンテンツ利用の利便性が高められる。即ち、ダウンロードしたメロディが着信音で利用可能であれば、着信音としての機能にそのメロディがダウンロード中に指定され、その指定により即座に着信音設定に移行し、そのメロディが着信音として再利用に供される。
【００９６】
〔他の実施の形態〕
【００９７】
(1) 上記実施の形態では、本開示のコンテンツ関連メニュー表示方法、そのプログラム、その装置又は携帯端末装置として携帯端末装置２０（図３等）を例示したが、コンピュータが搭載された電子機器であって、通信機能を備える機器であればよく、例えば、携帯情報端末機（ＰＤＡ：Personal Digital Assistant）５００（図１４）、パーソナルコンピュータ（ＰＣ）６００（図１５）等、コンテンツを授受可能な電子機器であればよく、上記実施の形態に限定されるものではない。
【００９８】
(2) ＰＤＡ５００は携帯端末装置の一例であって、通信機能を備え、インターネット等のネットワークからコンテンツをダウンロード可能であり、既述の通り、コンテンツ関連メニュー表示方法やそのプログラムを上記実施の形態と同様に実施可能である。このＰＤＡ５００では、図１４に示すように、本体部５０２に表示部８やキー入力部６６を備えればよく、その他の構成は上記実施の形態で述べたので、その詳細を省略する。
【００９９】
(3) ＰＣ６００は携帯端末装置の一例であって、通信機能を備え、インターネット等のネットワークからコンテンツをダウンロード可能であり、既述の通り、コンテンツ関連メニュー表示方法やそのプログラムを上記実施の形態と同様に実施可能である。このＰＣ６００では、図１５に示すように、固定側筐体部６０２と、可動側筐体部６０４とをヒンジ部６０６で開閉可能に連結し、固定側筐体部６０２にはキー入力部６６、可動側筐体部６０４には表示部８を備えればよく、その他の構成は上記実施の形態で述べたので、その詳細を省略する。
【０１００】
次に、以上述べた実施の形態に関し、更に以下の付記を開示する。以下の付記に本発明が限定されるものではない。
【０１０１】
（付記１）  コンテンツの属性で該コンテンツの利用可能な機能を判断するステップと、
コンテンツの取得の際に表示される画面に、前記コンテンツの前記利用可能な機能を表す機能項目を表示するステップと、
を含むことを特徴とする、コンテンツ関連メニュー表示方法。
【０１０２】
（付記２）  前記コンテンツを取得する際に、前記コンテンツの属性で該コンテンツの利用可能な機能を判断するステップを含むことを特徴とする、付記１記載のコンテンツ関連メニュー表示方法。
【０１０３】
（付記３）  前記画面に表示された前記機能項目により前記コンテンツの利用可能な機能を開始させるステップと、
を含むことを特徴とする、付記１記載のコンテンツ関連メニュー表示方法。
【０１０４】
（付記４）  前記機能項目は、コンテンツのダウンロード中に表示される画面に前記コンテンツと関係付けて表示することを特徴とする、付記１記載のコンテンツ関連メニュー表示方法。
【０１０５】
（付記５）  コンピュータに実行させるコンテンツ関連メニュー表示プログラムであって、
コンテンツの属性で該コンテンツの利用可能な機能を判断する機能と、
コンテンツの取得の際に表示される画面に、前記コンテンツの前記利用可能な機能を表す機能項目を表示する機能と、
を含み、斯かる機能を前記コンピュータに実行させることを特徴とする、コンテンツ関連メニュー表示プログラム。
【０１０６】
（付記６）  前記コンテンツを取得する際に、前記コンテンツの属性で該コンテンツの利用可能な機能を判断する機能を含むことを特徴とする、付記５記載のコンテンツ関連メニュー表示プログラム。
【０１０７】
（付記７）  前記画面に表示された前記機能項目により前記コンテンツの利用可能な機能を開始させる機能を含むことを特徴とする、付記５記載のコンテンツ関連メニュー表示プログラム。
【０１０８】
（付記８）  コンテンツの属性で該コンテンツの利用可能な機能を判断する判断部と、
コンテンツの取得の際に画面を表示する表示部と、
前記コンテンツの前記利用可能な機能を表す機能項目を前記画面に表示させる表示制御部と、
を備えることを特徴とする、コンテンツ関連メニュー表示装置。
【０１０９】
（付記９）  前記判断部は、前記コンテンツの取得の際に前記利用可能な機能を判断することを特徴とする、付記８記載のコンテンツ関連メニュー表示装置。
【０１１０】
（付記１０）  前記画面に表示された前記機能項目により前記コンテンツの利用可能な機能を開始させる機能制御部と、
を備えることを特徴とする、付記８記載のコンテンツ関連メニュー表示装置。
【０１１１】
（付記１１）  前記機能項目は、コンテンツのダウンロード中に表示される画面に前記コンテンツと関係付けて表示することを特徴とする、付記８記載のコンテンツ関連メニュー表示装置。
【０１１２】
（付記１２）  通信機能を備える携帯端末装置であって、
コンテンツの属性で該コンテンツの利用可能な機能を判断する判断部と、
前記通信機能を用いてコンテンツを取得する際に画面を表示する表示部と、
前記コンテンツの前記利用可能な機能を表す機能項目を前記画面に表示させる表示制御部と、
を備えることを特徴とする携帯端末装置。
【０１１３】
（付記１３）  前記判断部は、前記コンテンツの取得の際に前記利用可能な機能を判断することを特徴とする、付記１２記載の携帯端末装置。
【０１１４】
（付記１４）  前記画面に表示された前記機能項目により前記コンテンツの利用可能な機能を開始させる機能制御部と、
を備えることを特徴とする、付記１２記載の携帯端末装置。
【０１１５】
（付記１５）  前記機能項目は、コンテンツのダウンロード中に表示される画面に前記コンテンツと関係付けて表示することを特徴とする、付記１２記載の携帯端末装置。
【０１１６】
以上説明したように、本開示のコンテンツ関連メニュー表示方法、そのプログラム、その装置又は携帯端末装置の好ましい実施の形態について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【０１１７】
本開示のコンテンツ関連メニュー表示方法、そのプログラム、その装置又は携帯端末装置は、ダウンロード中や取得したコンテンツについて、その属性から利用可能な機能を選択可能に表示することにより、ワンタッチで利用可能な機能を選択し、その機能を実行できる等、コンテンツ利用の利便性を高めることができ、有用である。
【符号の説明】
【０１１８】
２  コンテンツ関連メニュー表示装置
４  コンテンツ関連メニュー表示部
６  表示制御部
８  表示部
１０  機能判断部
１２  コンテンツ
１４  コンテンツ解析部
１６  属性関連機能判断部
１８  表示画面
２０  携帯端末装置
２６  コンテンツサーバ
３０  メインメニュー表示部
３０  メインメニュー表示部
３２  機能表示部
３４  コンテンツ属性関連機能テーブル
【図１】
2010271981.tif 000003
【図２】
2010271981.tif 000004
【図３】
2010271981.tif 000005
【図４】
2010271981.tif 000006
【図５】
2010271981.tif 000007
【図６】
2010271981.tif 000008
【図７】
2010271981.tif 000009
【図８】
2010271981.tif 000010
【図９】
2010271981.tif 000011
【図１０】
2010271981.tif 000012
【図１１】
2010271981.tif 000013
【図１２】
2010271981.tif 000014
【図１３】
2010271981.tif 000015
【図１４】
2010271981.tif 000016
【図１５】
2010271981.tif 000017